(57)【要約】【課題】灯体に対して回転することにより着脱可能な略円形のグローブを吊り下げ可能であるとともに、光源を点灯した際に良好な外観を得ることのできる照明装置を提供する。【解決手段】灯体２０に対してグローブ３０を回転させて取り付けると、グローブ３０が灯体２０から落下するのを防止するためにグローブ３０と灯体２０を連結している連結部材３１は巻取装置２２によって巻き取られるので、グローブ３０取り付け後に光源２１を点灯させたときに、連結部材３１の余剰部分がグローブ３０面に載置されて映るのを防止して良好な外観を得ることができる。【選択図】図１
2008004479.tif 000002
【特許請求の範囲】
【請求項１】
天井面に取り付けられる灯体と、
前記灯体に支持される光源と、
前記光源を覆うように前記灯体に取り付けられるグローブと、
前記灯体および前記グローブを連結する柔軟な線状の連結部材とを有し、
前記グローブが平面略円形であるとともに前記灯体に対して取付方向に沿った線を中心として回動することにより固定される照明装置であって、
前記灯体に設けられた巻取装置が前記連結部材を巻取可能である照明装置。
【請求項２】
前記光源を吊り下げるための吊下げ支持具が前記灯体に設けられている請求項１に記載の照明装置。
【請求項３】
前記灯体に前記光源を固定するために、前記灯体に設けられた複数の光源保持部材を有し、
前記各光源保持部材のうちの少なくとも一つが前記吊下げ支持具を兼ねている請求項２に記載の照明装置。
【発明の詳細な説明】
【技術分野】
【０００１】
本発明は、建物の天井に取り付けるのに適した照明装置に関するものである。
【背景技術】
【０００２】
従来より、建物の天井に取り付ける照明装置が開示されている（例えば特許文献１参照）。
図５に示すように、特許文献１に記載の照明装置１００においては、灯体１０１と、この灯体１０１に取り付けられるグローブ１０２と、グローブ１０２が灯体１０１から落下するのを防止する落下防止用吊り部材１０３を備えている。灯体１０１は、円形板状のシャーシ１０４を備え、このシャーシ１０４の下面側に蛍光ランプ１０５が取り付けられている。シャーシ１０４の下面における外周部には、グローブ１０２を支持する複数の支持部１０６が設けられている。また、灯体１０１のシャーシ１０４の下面には、落下防止用吊り部材１０３を引っ掛ける引っ掛け部１０７と、位置決め用マーク１０８が設けられている。引っ掛け部１０７は、各支持部１０６の側方に設けられている。一方、グローブ１０２は、下方側からシャーシ１０４全体を覆う形状をしており、グローブ本体部１０９と枠体１１０を備えている。枠体１１０は円筒状を成し、外周部にはグローブ本体部１０９を取り付けるグローブ本体取付部１１１が設けられている。
【０００３】
グローブ１０２を灯体１０１に取り付けるには、まず、落下防止用吊り部材１０３の係止金具１０３ａを灯体１０１の引っ掛け部１０７に引っ掛けてグローブ１０２を灯体１０１に吊り下げる。この状態からグローブ１０２を回転させて、グローブ１０２の位置決めマーク１１２を灯体１０１の位置決め用マーク１０８にあわせ、グローブ１０２を押し上げて取り付ける。これにより、不意にグローブ１０２が外れても、落下するのを防止することができるようになっている。
【特許文献１】特開平９−６３３３４号公報（図１）
【発明の開示】
【発明が解決しようとする課題】
【０００４】
ところで、前述した特許文献１において、灯体１０１にグローブ１０２が固定された状態では、落下防止用吊り部材１０３の余剰分が自重によりグローブ１０２の内面に載置されることになる。このため、特許文献１では、通常時、光源を点灯させると、グローブ１０２の下方から落下防止用吊り部材１０３の余剰分が透けて見える場合があり外観が損なわれるという不都合があった。
【０００５】
本発明は、従来の問題を解決するためになされたもので、灯体に対して回転することにより着脱可能な略円形のグローブを吊り下げ可能であるとともに、光源を点灯した際に良好な外観を得ることのできる照明装置を提供することを目的とする。
【課題を解決するための手段】
【０００６】
本発明の照明装置は、天井面に取り付けられる灯体と、前記灯体に支持される光源と、
前記光源を覆うように前記灯体に取り付けられるグローブと、前記灯体および前記グローブを連結する柔軟な線状の連結部材とを有し、前記グローブが平面略円形であるとともに前記灯体に対して取付方向に沿った線を中心として回動することにより固定される照明装置であって、前記灯体に設けられた巻取装置が前記連結部材を巻取可能である構成を有している。
【０００７】
この構成により、灯体に対してグローブを回転させて取り付けると、グローブが灯体から落下するのを防止するためにグローブと灯体とを連結している連結部材は巻取装置によって巻き取られるので、グローブ取り付け後に光源を点灯させたときに、連結部材の余剰部分がグローブ内面に載置されて映るのを防止して良好な外観を得ることができる。
【０００８】
また、本発明の照明装置は、前記光源を吊り下げるための吊下げ支持具が前記灯体に設けられている構成を有している。
【０００９】
この構成により、グローブを灯体から取り外して光源を交換する際に、新しい光源を灯体に設けられている吊下げ支持具に吊下げておいたり、古い光源を取り外して吊下げ支持具に吊下げておくことができるので、作業性が向上する。
【００１０】
さらに、本発明の照明装置は、前記灯体に前記光源を固定するために、前記灯体に設けられた複数の光源保持部材を有し、前記各光源保持部材のうちの少なくとも一つが前記吊下げ支持具を兼ねている構成を有している。
【００１１】
この構成により、光源保持部材を吊下げ支持具に兼用するので、別途スペースを設けることなく吊下げ支持部を設けることができる。
【発明の効果】
【００１２】
本発明は、灯体に対してグローブを回転させて取り付けると、グローブが灯体から落下するのを防止するためにグローブと灯体を連結している連結部材は巻取装置によって巻き取られるので、グローブ取り付け後に光源を点灯させたときに、連結部材の余剰部分がグローブ内面に載置されて映るのを防止することができるという効果を有する照明装置を提供することができるものである。
【発明を実施するための最良の形態】
【００１３】
以下、本発明の実施の形態の照明装置について、図面を用いて説明する。
図１は本発明の実施形態に係る照明装置においてグローブを灯体から外した状態を示す斜視図、図２は巻取装置を下方から見た斜視図、図３は光源保持部材を下方から見た斜視図、図４は吊下げ支持具に光源を吊下げた状態を示す斜視図である。
【００１４】
図１において、照明装置１０は、天井面１１に取り付けられる灯体２０と、灯体２０に支持される光源２１と、光源２１を覆うように灯体２０に取り付けられるグローブ３０と、灯体２０およびグローブ３０を連結する柔軟な線状の連結部材３１とを有している。また、グローブ３０は平面略円形であるとともに灯体２０に対して取付方向（図１において上向き）に沿った線を中心として回動することにより固定されるようになっている。そして、灯体２０に設けられた巻取装置２２が連結部材３１を巻取可能である構成を有している。
図２に示すように、巻取装置２２では、一定以上の引張力で引っ張ると連結部材３１を引き出すことができ、かつ引張力を除くと例えばバネの力によって連結部材３１を巻き取るようになっている。
【００１５】
灯体２０は円形状の略平板であり、天井面１１に取り付けられる。灯体２０の下面側中心部には、天井面１１に取り付けられて電源を供給するシーリングローゼットに接続されるプラグ２３が取り付けられている。灯体２０の下面には、光源２１を取り付けるために、光源保持部材２４が同心円上に複数設けられている。光源保持部材２４は、例えば円環状の光源２１を包むように保持するＪ字状をしており、外側から内側に向かって、あるいは内側から外側に向かってバネ力を付勢することにより光源２１を保持している。また、灯体２０の外周縁部の内側には、グローブ３０を回転させることにより保持する保持ブロック２５が複数個（少なくとも３個）等間隔で設けられている。さらに、プラグ２３と電気的に接続され、光源２１に設けられている電源供給部２１ａを取り付けることにより、光源２１に電力を供給するランプソケット２７が設けられている。
【００１６】
図３に示すように、光源保持部材２４は、灯体２０に固定されたベース２４ａと、ベース２４ａに回転可能に保持されるとともに図示省略のバネ部材により付勢されている保持部２４ｂとを有している。ここでは、保持部２４ｂは針金状部材により全体Ｊ字状に形成され、円形の光源２１の例えば外側から内側に向かって付勢されて光源２１を保持するようになっている。
【００１７】
また、図４に示すように、灯体２０には、吊下げ支持具２６が設けられている。吊下げ支持具２６は、例えばＪ字状をした部材であり、灯体２０から取り外した光源２１に通して保持することができるようになっている。これにより、作業性を改善することができる。また、例えば、吊下げ支持部２６を灯体２０の中心に対して巻取装置２２と反対側に設けることにより、光源２１の交換の際に、連結部材３１によって吊下げられているグローブ３０が邪魔にならないので、作業性が良くなる。なお、吊下げ支持具２６と光源保持部材２４を兼用とすることも可能である。これにより、吊下げ支持具２６を設けるスペースを別途設ける必要がなくなる。
【００１８】
一方、グローブ３０は、透明あるいは半透明の材質で、中央が周辺部３２に比して厚くなって内部空間を形成している円形状の部材であり、周辺部３２は略平面状になっている。周辺部３２の内側には、中心に向かってひさしのように突出した取付部３３が設けられている。従って、灯体２０の保持ブロック２５が取付部３３を係止することにより、グローブ３０は灯体２０に取り付けられることになる。グローブ３０には、灯体２０と連結するための連結部材３１の一端が固定されており、他端は灯体２０に設けられている巻取装置２２に接続されている（図２参照）。
【００１９】
次に、光源２１の交換作業について説明する。
作業者は、新しい光源を片腕に通した状態で脚立に乗り、灯体２０からグローブ３０を取り外すために、灯体２０に対してグローブ３０を回す。これにより巻取装置２２に負荷が掛かり、連結部材３１が引き出されるのでグローブ３０を外すことができ、グローブ３０は連結部材３１により吊下げられる（図１に示す状態）。この状態では、グローブ３０の重量が連結部材３１を所定の力以上で下方へ引っ張っているので、連結部材３１が巻き取られることはない。取り付けられている古い光源２１の電源供給部２１ａをランプソケット２７から取り外し、吊下げ支持具２６を兼ねた光源保持部材２４を除く全部の光源保持部材２４を外す。これにより、光源２１は吊下げ支持具２６を兼ねた光源保持部材２４により縦に垂れ下がる（図４に示す状態）。
【００２０】
続いて、作業者が腕から外した新しい光源２１を光源保持部材２４に取り付けるとともに、電源供給部２１ａをランプソケット２７に接続する。古い光源２１を光源保持部材２４から取り外し、作業者の腕に通す。古い光源２１を吊下げていた吊下げ支持具２６を兼ねた光源保持部材２４を上方へ回転させて、既に光源保持部材２４に取り付けられた新しい光源２１に係合させてこれを保持する。
【００２１】
次に、作業者が手でグローブ３０を持ち上げて、グローブ３０の取付部３３を灯体２０の保持ブロックに係合させる。この際、それまで巻取装置２２に加わっていたグローブ３０の重量が解消されるので、巻取装置２２が連結部材３１を巻き取る。従って、連結部材３１はたるむことなく巻取装置２２に収容される。最後に、作業者はグローブ３０を回転させて灯体２０に固定する。これにより、連結部材３１の余剰部分は巻取装置２２に巻き取られることになる。
【００２２】
以上説明した、本発明に係る照明装置１０では、灯体２０に対してグローブ３０を回転させて取り付けると、グローブ３０が灯体２０から落下するのを防止するためにグローブ３０と灯体２０を連結している連結部材３１は巻取装置２２によって巻き取られるので、グローブ３０取り付け後に光源２１を点灯させたときに、連結部材３１の余剰部分がグローブ３０内面に載置されて映るのを防止することができ、外観を向上させることができる。また、外した光源２１を下に置くためや新しい光源２１を取るために何度も脚立をおり上り下りする必要がなくなり、作業性が向上する。
【００２３】
なお、以上の説明では、光源２１として二重の円管を一体的に有する場合を例示したが、これに限るものではない。本発明による照明装置１０は、二重の円管が１本づつ別個に設けられている場合や、一重の円管あるいは三重以上の円環を用いる場合でも同様に適用することができる。
【産業上の利用可能性】
【００２４】
以上のように、本発明にかかる照明装置は、灯体に対してグローブを回転させて取り付けると、グローブが灯体から落下するのを防止するためにグローブと灯体を連結している連結部材は巻取装置によって巻き取られるので、グローブ取り付け後に光源を点灯させたときに、連結部材の余剰部分がグローブ内面に載置されて映るのを防止することができるという効果を有し、建物の天井に取り付けるのに適した照明装置等として有用である。
【図面の簡単な説明】
【００２５】
【図１】本発明の実施形態に係る照明装置においてグローブを灯体から外した状態を示す斜視図
【図２】巻取装置を下方から見た斜視図
【図３】光源保持部材を下方から見た斜視図
【図４】吊下げ支持具に光源を吊下げた状態を示す斜視図
【図５】従来の照明装置を示す斜視図
【符号の説明】
【００２６】
１０  照明装置
１１  天井面
２０  灯体
２１  光源
２２  巻取装置
２４  光源保持部材
２６  吊下げ支持具
３０  グローブ
３１  連結部材
【図１】
2008004479.tif 000003
【図２】
2008004479.tif 000004
【図３】
2008004479.tif 000005
【図４】
2008004479.tif 000006
【図５】
2008004479.tif 000007